(57)【要約】【課題】低音を不必要にカットしたり再生音の歪み感を増加させることなく、小口径のスピーカ等で再生する場合においても音量感を増加させることを可能にする。【解決手段】音響信号処理装置１００は、入力信号パワ計算部１０１で入力音響信号Ｓ１０１のパワを測定した結果を基に、低域信号コンプレッサ部１０３で低域信号Ｓ１０３のダイナミックレンジを圧縮する。合成部１０４で圧縮低域信号Ｓ１０５と中高域信号Ｓ１０４を合成した後、さらに合成信号コンプレッサ部１０６でダイナミックレンジを圧縮し、その後アンプ部１０７で増幅する。これにより、全体の音量を考慮して低域を適度にカットし、また中高域のダイナミックレンジ圧縮による影響を最小限にとどめ、かつ平均パワを増幅することが可能となり、小口径スピーカで再生するのに最適な音響信号を得る。【選択図】図１
2007104407.tif 000002
【特許請求の範囲】
【請求項１】
音響信号に対して所定の利得制御を行う音響信号処理装置であって、
入力音響信号のパワを測定する入力信号パワ測定手段と、
前記入力音響信号を所定の周波数帯域で低域信号と中高域信号とに分離するフィルタリング手段と、
前記入力信号パワ測定手段で測定した入力音響信号のパワに基づいて前記低域信号に対して適切な利得を乗ずる利得調整手段と、
前記利得が調整された低域信号と前記中高域信号とを合成する合成手段と、
前記合成された音響信号のパワを測定する合成信号パワ測定手段と、
前記合成信号パワ測定手段で測定した合成された音響信号のパワに基づいて前記合成された音響信号のダイナミックレンジを圧縮する圧縮手段と、
前記圧縮された合成後の音響信号に対して利得を乗ずる増幅手段と
を備える音響信号処理装置。
【請求項２】
音響信号に対して所定の利得制御を行う音響信号処理装置であって、
入力音響信号のパワを測定する入力信号パワ測定手段と、
前記入力音響信号を所定の周波数帯域で低域信号と中高域信号とに分離するフィルタリング手段と、
前記入力信号パワ測定手段で測定した入力音響信号のパワに基づいて前記低域信号に対して適切な利得を乗ずる利得調整手段と、
前記利得が調整された低域信号と前記中高域信号とを合成する合成手段と、
前記入力信号パワ測定手段で測定した入力音響信号のパワに基づいて前記合成された音響信号のダイナミックレンジを圧縮する圧縮手段と、
前記圧縮された合成後の音響信号に対して利得を乗ずる増幅手段と
を備える音響信号処理装置。
【請求項３】
請求項１または２に記載の音響信号処理装置であって、
前記利得調整手段は、前記低域信号のダイナミックレンジを圧縮する低域圧縮手段を含む音響信号処理装置。
【請求項４】
請求項３に記載の音響信号処理装置であって、
前記圧縮手段は、前記入力音響信号のパワを参照して圧縮処理の各種パラメタを変更可能である音響信号処理装置。
【請求項５】
請求項１または２に記載の音響信号処理装置であって、
前記利得調整手段は、予め設定されたゲイン情報を用いて、前記入力音響信号のパワに対応する値を利得として乗ずるものである音響信号処理装置。
【請求項６】
請求項５に記載の音響信号処理装置であって、
前記ゲイン情報は、前記入力音響信号のパワが第一の閾値より小さい場合は１であり、前記第一の閾値を超えると小さくなる方向に減少し、第二の閾値を超える場合は０となるものとする音響信号処理装置。
【請求項７】
請求項１または２に記載の音響信号処理装置であって、
当該音響信号処理装置の出力側に接続されるスピーカの口径、あるいは当該音響信号処理装置を搭載する筐体の形状の少なくとも一方を含む搭載機器の特性に応じて、前記入力音響信号を低域信号と中高域信号とに分離するときのクロスオーバ周波数が変更可能である音響信号処理装置。
【請求項８】
請求項１または２に記載の音響信号処理装置であって、
当該音響信号処理装置を搭載する搭載機器の音量調整手段から設定音量に関する音量情報を受信し、この音量情報に基づいて前記圧縮手段におけるダイナミックレンジの圧縮率を調整するパラメタを決定する圧縮率変更手段を備え、前記搭載機器の音量調整機能に連動して前記圧縮率を変更する音響信号処理装置。
【発明の詳細な説明】
【技術分野】
【０００１】
本発明は、携帯電話機のような小口径のスピーカで音響信号を鳴動する機器に用いる音響信号処理装置に関する。
【背景技術】
【０００２】
近年、音楽再生機能付きの携帯電話機など、携帯型の小型の音響再生機器が普及しつつある。しかし、携帯電話機等は大きさの都合から大口径のスピーカを搭載するのが難しく、いわゆるベースなどの周波数の低い低音域の音、すなわち低音を再生することが困難である。無理に低音を再生しても携帯電話機等のスピーカでは聴感上殆ど聴こえないばかりか、結果として入力信号のレベルがスピーカの能力の上限を超え、歪み感を発生させる原因ともなる。また、スピーカ及び筐体の制限により、大音量で鳴動させることも困難である。
【０００３】
図１１は従来の音響信号処理装置の構成例を示すブロック図である。このような従来例の音響信号処理装置９００では、携帯電話機等のスピーカでは再生できない低域をハイパスフィルタ（ＨＰＦ）部９０１でカットし、また音量感を高めるために一度コンプレッサ部９０２で音響信号を圧縮し、その後アンプ部９０３で全体の音量を上げるような構成がとられていた。
【０００４】
また、上記とは目的は違うが、フィルタで低音と中高音を分離し、低音側にのみ音量を制御する手段を用いる構成（例えば特許文献１参照）や、複数の周波数帯域に分割してそれぞれに対して音量を制御する構成（例えば特許文献２参照）などが提案されている。
【０００５】
【特許文献１】実開平２−１２３１２０号公報
【特許文献２】特開平１−１９８８１８号公報
【発明の開示】
【発明が解決しようとする課題】
【０００６】
しかしながら、従来の音響信号処理装置においては、入力信号をハイパスフィルタで処理することにより、入力音響信号が十分に小さくてそのまま再生しても問題ない場合でも不必要に低域をカットしてしまうという問題があった。また、入力音響信号を帯域別に分割し低音だけ音量を制御する方法をとった場合でも、全体の音響信号レベルを考慮していないので、必要以上に低音をカットしてしまう可能性がある。
【０００７】
本発明は、上記事情に鑑みてなされたもので、低音を不必要にカットしたり再生音の歪み感を増加させることなく、小口径のスピーカ等で再生する場合においても音量感を増加させることができ、聴感上の音質を向上させることが可能な音響信号処理装置を提供することを目的とする。
【課題を解決するための手段】
【０００８】
本発明の音響信号処理装置は、音響信号に対して所定の利得制御を行う音響信号処理装置であって、入力音響信号のパワを測定する入力信号パワ測定手段と、前記入力音響信号を所定の周波数帯域で低域信号と中高域信号とに分離するフィルタリング手段と、前記入力信号パワ測定手段で測定した入力音響信号のパワに基づいて前記低域信号に対して適切な利得を乗ずる利得調整手段と、前記利得が調整された低域信号と前記中高域信号とを合成する合成手段と、前記合成された音響信号のパワを測定する合成信号パワ測定手段と、前記合成信号パワ測定手段で測定した合成された音響信号のパワに基づいて前記合成された音響信号のダイナミックレンジを圧縮する圧縮手段と、前記圧縮された合成後の音響信号に対して利得を乗ずる増幅手段とを備えるものである。
【０００９】
上記構成により、小口径のスピーカ等で再生する場合に歪みの原因となる低音域の音量を制御しながら音響信号の平均パワを増幅することが可能となる。このため、低音を不必要にカットしたり再生音の歪み感を増加させることなく、小口径のスピーカ等で音楽等を再生する場合においても音量感を増加させることができる。
【００１０】
また、本発明の音響信号処理装置は、音響信号に対して所定の利得制御を行う音響信号処理装置であって、入力音響信号のパワを測定する入力信号パワ測定手段と、前記入力音響信号を所定の周波数帯域で低域信号と中高域信号とに分離するフィルタリング手段と、前記入力信号パワ測定手段で測定した入力音響信号のパワに基づいて前記低域信号に対して適切な利得を乗ずる利得調整手段と、前記利得が調整された低域信号と前記中高域信号とを合成する合成手段と、前記入力信号パワ測定手段で測定した入力音響信号のパワに基づいて前記合成された音響信号のダイナミックレンジを圧縮する圧縮手段と、前記圧縮された合成後の音響信号に対して利得を乗ずる増幅手段とを備えるものである。
【００１１】
上記構成により、小口径のスピーカ等で再生する場合に歪みの原因となる低音域の音量を制御しながら音響信号の平均パワを増幅することが可能となる。このため、低音を不必要にカットしたり再生音の歪み感を増加させることなく、小口径のスピーカ等で音楽等を再生する場合においても音量感を増加させることができる。
【００１２】
また、本発明は、上記の音響信号処理装置であって、前記利得調整手段は、前記低域信号のダイナミックレンジを圧縮する低域圧縮手段を含むものとする。この構成により、低域信号のダイナミックレンジを圧縮することで、低音域の利得を調整可能である。
【００１３】
また、本発明は、上記の音響信号処理装置であって、前記圧縮手段は、前記入力音響信号のパワを参照して圧縮処理の各種パラメタを変更可能であるものとする。この構成により、入力音響信号のパワに応じて圧縮処理の各種パラメタを変更し、適切な低域信号のダイナミックレンジの圧縮が可能となる。
【００１４】
また、本発明は、上記の音響信号処理装置であって、前記利得調整手段は、予め設定されたゲイン情報を用いて、前記入力音響信号のパワに対応する値を利得として乗ずるものとする。この構成により、入力音響信号のパワに対応した利得を乗ずることで、低音域の利得を調整可能である。
【００１５】
また、本発明は、上記の音響信号処理装置であって、前記ゲイン情報は、前記入力音響信号のパワが第一の閾値より小さい場合は１であり、前記第一の閾値を超えると小さくなる方向に減少し、第二の閾値を超える場合は０となるものとする。この構成により、２つの閾値に基づいて設定されたゲイン情報によって、入力音響信号のパワに応じて適切に低音域の利得を調整可能である。
【００１６】
また、本発明は、上記の音響信号処理装置であって、当該音響信号処理装置の出力側に接続されるスピーカの口径、あるいは当該音響信号処理装置を搭載する筐体の形状の少なくとも一方を含む搭載機器の特性に応じて、前記入力音響信号を低域信号と中高域信号とに分離するときのクロスオーバ周波数が変更可能であるものとする。この構成により、搭載機器の特性に応じてクロスオーバ周波数を設定し、入力音響信号を適切に低域信号と中高域信号とに分離することが可能となる。
【００１７】
また、本発明は、上記の音響信号処理装置であって、当該音響信号処理装置を搭載する搭載機器の音量調整手段から設定音量に関する音量情報を受信し、この音量情報に基づいて前記圧縮手段におけるダイナミックレンジの圧縮率を調整するパラメタを決定する圧縮率変更手段を備え、前記搭載機器の音量調整機能に連動して前記圧縮率を変更するものとする。この構成により、搭載機器の音量設定に連動させてダイナミックレンジの圧縮率などの動作特性を変更することが可能である。したがって、例えば音量設定が小さい場合は歪み感が発生する可能性が少ないので圧縮率を低めに、また設定音量が大きい場合は圧縮率を高めに設定することが可能となり、音量設定状況に応じた適切な処理動作を行うことができる。
【発明の効果】
【００１８】
本発明によれば、低音を不必要にカットしたり再生音の歪み感を増加させることなく、小口径のスピーカ等で再生する場合においても音量感を増加させることができ、聴感上の音質を向上させることが可能な音響信号処理装置を提供できる。
【発明を実施するための最良の形態】
【００１９】
本実施形態では、音楽再生機器、情報端末、携帯電話機等の小型の機器に適用して配設する音響信号処理装置の構成例を示す。
【００２０】
図１は本発明の第１の実施形態に係る音響信号処理装置の構成を示すブロック図である。第１の実施形態の音響信号処理装置１００は、入力音響信号のパワを計算する入力信号パワ計算部（入力信号パワ測定手段の一例に相当する）１０１と、入力音響信号を低域信号と中高域信号に分離するフィルタ部（フィルタリング手段の一例に相当する）１０２と、低域信号のダイナミックレンジを圧縮する低域信号コンプレッサ部（利得調整手段としての低域圧縮手段の一例に相当する）１０３と、低域信号と高域信号とを合成する合成部（合成手段の一例に相当する）１０４と、合成信号のパワを計算する合成信号パワ計算部（合成信号パワ測定手段の一例に相当する）１０５と、合成信号のダイナミックレンジを圧縮する合成信号コンプレッサ部（圧縮手段の一例に相当する）１０６と、ダイナミックレンジが圧縮された合成信号を増幅するアンプ部（増幅手段の一例に相当する）１０７とを備えて構成される。また、フィルタ部１０２は、ＬＰＦ（ローパスフィルタ）部１０８とＨＰＦ（ハイパスフィルタ）部１０９とを有する構成である。
【００２１】
このように構成された第１の実施形態の音響信号処理装置について、図１を用いてその動作を説明する。まず、入力音響信号Ｓ１０１のパワを入力信号パワ計算部１０１で測定して算出し、入力信号パワ情報Ｓ１０２を得る。パワの測定は、例えば入力音響信号を二乗した後に平方根を算出するという方法でよい。
【００２２】
次に、入力音響信号Ｓ１０１をフィルタ部１０２で低域信号Ｓ１０３と中高域信号Ｓ１０４とに分離する。信号の分離は、ＬＰＦ部１０８で低域信号Ｓ１０３を、ＨＰＦ部１０９で中高域信号Ｓ１０４を抽出するという方法をとる。このときのＬＰＦ部１０８とＨＰＦ部１０９は、図２に示すように、お互いの出力を単純に加算した場合に元の入力音響信号に等しくなるような特性を持つものとする。ここで、図２におけるカットオフ周波数ｆｃは、実際に使用するスピーカや筐体の音響特性によって決定される。よってカットオフ周波数ｆｃを自在にコントロールできれば、様々な機器に対応可能となる。すなわち、フィルタ部１０２の通過帯域の周波数特性を可変にし、入力音響信号を低域信号と中高域信号とに分離するときのクロスオーバ周波数を変更できるようにすることで、搭載機器の特性に応じて適切に低域信号の分離ができる。このとき、音響信号処理装置が搭載される搭載機器に設けられ、この音響信号処理装置の出力側に接続されるスピーカの口径、あるいは搭載機器の筐体の形状など、これらの少なくとも一つを含む搭載機器の特性に応じてクロスオーバ周波数を変更する。
【００２３】
次に、低域信号コンプレッサ部１０３において、入力信号パワ情報Ｓ１０２を用いて低域信号Ｓ１０３のダイナミックレンジを圧縮し、圧縮低域信号Ｓ１０５を得る。低域信号コンプレッサ部１０３の動作特性は、例えば図３に示すように入力レベルが閾値を超えた場合に出力レベルを低く抑えるようにしたものである。ここで注意すべきは、入力レベルの閾値判定は低域信号Ｓ１０３を用いて行うのではないことである。入力信号パワ情報Ｓ１０２を用いて閾値判定を行って処理する利点は、仮に入力音響信号Ｓ１０１のパワが十分に小さくて低域信号Ｓ１０３を圧縮しなくても、小口径スピーカから出力される音響信号が歪まないような場合、不必要に低域信号Ｓ１０３を圧縮しないことにある。
【００２４】
次に、合成部１０４において、圧縮低域信号Ｓ１０５と中高域信号Ｓ１０４とを合成し、合成音響信号Ｓ１０６を得る。そして、合成信号パワ計算部１０５において合成音響信号Ｓ１０６のパワを計算し、合成信号パワ情報Ｓ１０７を得る。
【００２５】
次に、合成信号コンプレッサ部１０６において、合成信号パワ情報Ｓ１０７を用いて合成信号Ｓ１０６のダイナミックレンジを圧縮し、圧縮合成信号Ｓ１０８を得る。合成信号コンプレッサ部１０６の動作特性は、図３に示した低域信号コンプレッサ部１０３の動作特性と同じなので説明を省略する。なお、閾値及び合成信号パワ情報Ｓ１０７が閾値を超えた場合の出力レベルの圧縮率は、独自に設定できるものとする。そして、アンプ部１０７において、圧縮合成信号Ｓ１０８を増幅して出力音響信号Ｓ１０９を得る。
【００２６】
なお、入力信号パワ情報Ｓ１０２の大小によって、低域信号コンプレッサ部１０３の内部状態を変更することも可能である。例えば、図３における閾値を、入力信号パワ情報Ｓ１０２が小さいときは高いレベルに、大きいときは低いレベルにするなど、圧縮処理の各種パラメタを変更するようなことである。このような制御を行った場合、入力音響信号Ｓ１０１が小さいときは低域信号Ｓ１０３はあまり圧縮されず、逆に大きい場合は高い比率で圧縮される。
【００２７】
このような第１の実施形態の音響信号処理装置によれば、入力信号のパワに応じて低域の信号のパワを制御することにより、入力信号が小さい場合は低域が含まれた自然な音の音響信号が得られ、入力信号が大きい場合は低域を圧縮し、小口径スピーカで再生しても歪み感が少なくなる音響信号が得られる。また、利得を調整した低域信号と高域信号とを合成することにより、音量感にあまり寄与しない低域信号の影響を最小限に抑えた合成信号が得られ、後に更にダイナミックレンジの圧縮を行いその後増幅することにより、小口径スピーカで音楽信号を鳴動させた際の音圧の増加を行うことが可能となる。
【００２８】
図４は本発明の第２の実施形態に係る音響信号処理装置の構成を示すブロック図である。第２の実施形態の音響信号処理装置４００は、入力音響信号のパワを計算する入力信号パワ計算部１０１と、入力音響信号を低域信号と中高域信号に分離するフィルタ部１０２と、低域信号に利得を乗ずる低域信号ゲインコントロール部４０１と、ゲイン情報のテーブルを格納したゲインテーブル部４０２と、低域信号と高域信号を合成する合成部１０４と、合成信号のパワを計算する合成信号パワ計算部１０５と、合成信号のダイナミックレンジを圧縮する合成信号コンプレッサ部１０６と、ダイナミックレンジが圧縮された合成信号を増幅するアンプ部１０７とを備えて構成される。また、フィルタ部１０２は、ＬＰＦ部１０８とＨＰＦ部１０９とを有する構成である。第２の実施形態では、利得調整手段の一例として低域信号ゲインコントロール部４０１が設けられている。
【００２９】
第２の実施形態の場合、低域信号Ｓ１０３のダイナミックレンジを圧縮するのではなく、低域信号Ｓ１０３に利得を乗じて、入力音響信号Ｓ１０１のパワの大きい場合に低域をカットする。図１に示した第１の実施形態の音響信号処理装置に対して、低域信号コンプレッサ部１０３の代わりに低域信号ゲインコントロール部４０１が配設され、また低域信号Ｓ１０３に乗ずる利得に関するゲイン情報のテーブルを格納したゲインテーブル部４０２が追加されている。このゲインテーブル部４０２には、予め入力音響信号の各パワに対応して設定された利得を示すゲイン情報がテーブルとして格納されている。それ以外の構成要素は第１の実施形態の音響信号処理装置と同じである。
【００３０】
このように構成された第２の実施形態の音響信号処理装置について、図４を用いてその動作を説明する。ここでは、主に低域信号Ｓ１０３の処理方法を説明する。
【００３１】
低域信号ゲインコントロール部４０１は、入力信号パワ情報Ｓ１０２を用いてゲインテーブル部４０２からゲイン情報Ｓ４０１を得、そのゲインを低域信号Ｓ１０３に乗じて圧縮低域信号Ｓ１０５を生成する。ゲイン情報Ｓ４０１の特性は、図５に示したように、入力信号パワ情報Ｓ１０２が第一の閾値より低い場合は利得を変更しないという意味で１、第一の閾値以上第二の閾値以下の場合は１から０へ向かうように小さくなる方向に減少する特性、第二の閾値以上の場合は無音にするという意味で０とする。この処理の場合、入力音響信号Ｓ１０１が十分に大きいとき、圧縮低域信号Ｓ１０５は無音となり低域がなくなってしまうが、再生時の歪みの原因となる低域をより確実にカットすることが可能となる。それ以外の各ブロックの動作は上述した第１の実施形態と同じである。
【００３２】
このような第２の実施形態の音響信号処理装置によれば、入力信号のパワに応じて低域の信号のパワを制御することにより、入力信号が小さい場合は低域が含まれた自然な音の音響信号が得られ、入力信号が大きい場合は低域を圧縮し、特に入力信号が十分に大きい場合は低域を完全にカットすることで小口径スピーカで再生しても歪み感が少なくなる音響信号が得られる。また、利得を調整した低域信号と高域信号とを合成することにより、音量感にあまり寄与しない低域信号の影響を最小限に抑えた合成信号が得られ、後に更にダイナミックレンジの圧縮を行いその後増幅することにより、小口径スピーカで音楽信号を鳴動させた際の音圧の増加を行うことが可能となる。
【００３３】
図６は本発明の第３の実施形態に係る音響信号処理装置の構成を示すブロック図である。第３の実施形態の音響信号処理装置６００は、入力音響信号のパワを計算する入力信号パワ計算部１０１と、入力音響信号を低域信号と中高域信号に分離するフィルタ部１０２と、低域信号のダイナミックレンジを圧縮する低域信号コンプレッサ部１０３と、低域信号と高域信号を合成する合成部１０４と、合成信号のダイナミックレンジを圧縮する合成信号コンプレッサ部１０６と、ダイナミックレンジが圧縮された合成信号を増幅するアンプ部１０７とを備えて構成される。また、フィルタ部１０２は、ＬＰＦ部１０８とＨＰＦ部１０９とを有する構成である。
【００３４】
第３の実施形態では、第１の実施形態にあった合成信号パワ計算部１０５を省き、合成信号コンプレッサ部１０６の処理に必要な合成信号パワ情報Ｓ１０７を、入力信号パワ情報Ｓ１０２で代用する構成である。それ以外の各ブロックの構成及び動作は第１の実施形態の音響信号処理装置と同じである。第３の実施形態においては、合成信号パワ計算部１０５を省略できるので、処理負荷の低減が可能となる。
【００３５】
このような第３の実施形態の音響信号処理装置によれば、第１の実施形態と同等の効果をより少ない処理負荷で実現することが可能となる。
【００３６】
図７は本発明の第４の実施形態に係る音響信号処理装置の構成を示すブロック図である。第４の実施形態は、音響信号処理装置７００の外部に音量調整部（音量調整手段の一例に相当する）７０１が設けられ、音響信号処理装置７００にパラメタ格納部（圧縮率変更手段の一例に相当する）７０２を備える構成である。音量調整部７０１は、音響信号処理装置７００が搭載される搭載機器から出力される音量を利用者が調整操作するものである。パラメタ格納部７０２は、低域信号コンプレッサ部１０３と合成信号コンプレッサ部１０６が動作時に参照する閾値を格納しており、音量調整部７０１で設定された音量情報に応じて圧縮率を調整するパラメタを決定して出力するものである。それ以外の構成要素は第１の実施形態と同じなので省略する。
【００３７】
このように構成された第４の実施形態の音響信号処理装置について、図７から図１０を用いてその動作を説明する。
【００３８】
通常の動作については第１の実施形態と同じなので説明を省略する。機器の利用者が音量調整部７０１を操作し、音響信号処理装置７００を搭載した機器から再生される音量を変更した場合、音量調整部７０１は、音量情報Ｓ７０１をパラメタ格納部７０２に送信する。パラメタ格納部７０２は、図１０に示すような、音量情報Ｓ７０１の個々の各値にそれぞれ対応した閾値を記録したテーブルを保持しており、音量情報Ｓ７０１に対応する適当な閾値を低域信号コンプレッサ部１０３と合成信号コンプレッサ部１０６にそれぞれ送信する。
【００３９】
ここで、利用者が図１０に示す音量設定を４から３に変更した場合の動作を示す。なお、図１０は機器の音量設定が０から６の７段階存在し、最小音量が０、最大音量が６の場合の例である。まず機器の利用者が音量調整部７０１を操作し、音量を４から３に変更する。音量調整部７０１は、音量が３であることを示す情報である音量情報Ｓ７０１をパラメタ格納部７０２に送信する。
【００４０】
パラメタ格納部７０２は、音量設定値が３の場合の、低域信号コンプレッサ部１０３用の閾値と、合成信号コンプレッサ部１０６用の閾値とを、内部に記録しているテーブルデータから読み取る。図１０によると、音量設定値が３の場合の低域信号コンプレッサ部１０３用の閾値は「−６[ｄＢ]」、合成信号コンプレッサ部１０６用の閾値は「−３[ｄＢ]」なので、閾値が「−６[ｄＢ]」であるという情報を低域信号コンプレッサ閾値信号Ｓ７０２として、閾値が「−３[ｄＢ]」であるという情報を合成信号コンプレッサ閾値信号Ｓ７０３としてそれぞれ送信する。
【００４１】
低域信号コンプレッサ部１０３は、受信した低域信号コンプレッサ閾値信号Ｓ７０２を新たな閾値として処理に適用する。この例の場合、低域信号コンプレッサ部１０３の動作特性は、図８から図９のように変化する。同様に、合成信号コンプレッサ部１０６は、受信した合成信号コンプレッサ閾値信号Ｓ７０３を新たな閾値として処理に適用する。それ以降の動作は第１の実施形態と同じなので省略する。なお、本説明ではコンプレッサの閾値を変更する場合を説明したが、その他の圧縮率を変更するパラメータでもよい。
【００４２】
このような第４の実施形態の音響信号処理装置によれば、第１の実施形態で説明したダイナミックレンジの圧縮率などの動作特性を、搭載機器の音量設定に連動させて変更することが可能である。このことにより、例えば音量設定が小さい場合は歪み感が発生する可能性が少ないので圧縮率を低めに、また設定音量が大きい場合は圧縮率を高めに設定することが可能となり、第１の実施形態で説明した動作に加えて、機器の音量設定状況に応じた適切な処理動作を行うことが可能となる。
【００４３】
上述したように、本実施形態によれば、入力音響信号のレベルが十分に小さい場合は低音域をカットせず、入力音響信号のレベルが大きい場合はスピーカからの再生音に歪み感が発生しないようにして、かつ音量感を増加させることが可能な音響信号処理装置を提供できる。このため、音楽再生が可能な音楽再生機器、情報端末、携帯電話機などの小型の機器に本実施形態の音響信号処理装置を適用し、音響出力手段として小口径スピーカを用いた場合であっても、音楽信号再生時に適切に音圧を増加でき、聴感上の音質を向上させることができる。
【産業上の利用可能性】
【００４４】
本発明は、低音を不必要にカットしたり再生音の歪み感を増加させることなく、小口径のスピーカ等で再生する場合においても音量感を増加させることができ、聴感上の音質を向上させることが可能となる効果を有し、携帯電話機のような小口径のスピーカで音響信号を鳴動する機器に用いる音響信号処理装置等に有用である。
【図面の簡単な説明】
【００４５】
【図１】本発明の第１の実施形態に係る音響信号処理装置の構成を示すブロック図
【図２】第１の実施形態におけるローパスフィルタ及びハイパスフィルタの特性を示す図
【図３】第１の実施形態における低域信号コンプレッサ部の動作特性を示す図
【図４】本発明の第２の実施形態に係る音響信号処理装置の構成を示すブロック図
【図５】第２の実施形態における低域信号ゲインコントロール部において低域信号に対して乗ずる利得の特性を示す図
【図６】本発明の第３の実施形態に係る音響信号処理装置の構成を示すブロック図
【図７】本発明の第４の実施形態に係る音響信号処理装置の構成を示すブロック図
【図８】第４の実施形態における音量設定変更前の低域信号コンプレッサ部の動作特性を示す図
【図９】第４の実施形態における音量設定変更後の低域信号コンプレッサ部の動作特性を示す図
【図１０】第４の実施形態におけるパラメタ格納部が格納するテーブルデータの例を示す図
【図１１】従来の音響信号処理装置の構成例を示すブロック図
【符号の説明】
【００４６】
１００  音響信号処理装置
１０１  入力信号パワ計算部
１０２  フィルタ部
１０３  低域信号コンプレッサ部
１０４  合成部
１０５  合成信号パワ計算部
１０６  合成信号コンプレッサ部
１０７  アンプ部
１０８  ＬＰＦ部
１０９  ＨＰＦ部
４００  音響信号処理装置
４０１  低域信号ゲインコントロール部
４０２  ゲインテーブル部
６００  音響信号処理装置
７００  音響信号処理装置
７０１  音量調整部
７０２  パラメタ格納部
Ｓ１０１  入力音響信号
Ｓ１０２  入力信号パワ情報
Ｓ１０３  低域信号
Ｓ１０４  中高域信号
Ｓ１０５  圧縮低域信号
Ｓ１０６  合成音響信号
Ｓ１０７  合成信号パワ情報
Ｓ１０８  圧縮合成信号
Ｓ１０９  出力音響信号
Ｓ４０１  ゲイン情報
Ｓ７０１  音量情報
Ｓ７０２  低域信号コンプレッサ閾値信号
Ｓ７０３  合成信号コンプレッサ閾値信号
【図１】
2007104407.tif 000003
【図２】
2007104407.tif 000004
【図３】
2007104407.tif 000005
【図４】
2007104407.tif 000006
【図５】
2007104407.tif 000007
【図６】
2007104407.tif 000008
【図７】
2007104407.tif 000009
【図８】
2007104407.tif 000010
【図９】
2007104407.tif 000011
【図１０】
2007104407.tif 000012
【図１１】
2007104407.tif 000013